(57)【要約】【課題】この発明は、簡易な構成で、且つ、簡便にして容易な医療機器の取付け・取外し作業を実現して、使い勝手の向上を図り得るようにすることにある。【解決手段】光源装置３１に接続される光源接続部３２が設けられたコネクタ部２５に、該光源接続部３２を光源装置３１に接続させた着状態で、上向きに位置するように接続部３３を設けて、この接続部３３を用いて医療機器であるビデオプロセッサ３４と電気的に接続させるように構成した。【選択図】図２
2007202654.tif 000002
【特許請求の範囲】
【請求項１】
機器据付状態で、上向きに位置される接続部が設けられた第１の医療機器と、
前記第１の医療機器の接続部に着脱されて接続される接続部が設けられた第２の医療機器と、
を具備することを特徴とする医療装置。
【請求項２】
接続部を有した第１の医療機器と、
前記第１の医療機器の接続部に着脱される第１の接続部を有し、この第１の接続部に前記第１の医療機器の接続部への着状態で、上向きに位置される第２の接続部が設けられた第２の医療機器と、
を具備することを特徴とする医療装置。
【請求項３】
前記第２の接続部は、電気接点を有することを特徴とする請求項２記載の医療装置。
【請求項４】
前面パネルの上下方向に第１及び第２の接続部が分離して設けられた第１の医療機器と、
前記第１の医療機器の下方側の第２の接続部に抜脱される第１の接続部、及び該第１の接続部の抜脱方向に直交する上面側に配され、前記第１の医療機器の第１の接続部に接続される第２の接続部が設けられた第２の医療機器と、
前記第１の医療機器の第１の接続部と前記第２の医療機器の第２の接続部との間に着脱されて相互間を接続する接続手段と、
を具備することを特徴とする医療装置。
【請求項５】
前記第１の医療機器の第１の接続部と前記第２の医療機器の第２の接続部は、前記接続手段を介して電気的に接続されることを特徴とする請求項４記載の医療装置。
【請求項６】
流体もしくは光を供給する接続部を有した供給機器と、
前記供給機器の接続部に着脱されるものであって、医療機器に接続されるコネクタ本体と、
前記コネクタ本体に設けられ、該コネクタ本体の着状態で上向きに位置される前記医療機器に接続される機器接続部と、
を具備することを特徴とする医療装置。
【請求項７】
前記機器接続部は、前記医療機器の画像データを処理する画像処理部が接続されることを特徴とする請求項６記載の医療装置。
【請求項８】
前記機器接続部は、前記医療機器の駆動機構部を制御する制御部が接続されることを特徴とする請求項６記載の医療装置。
【請求項９】
前記医療機器の駆動機構部は、ズーム機構であることを特徴とする請求項８記載の医療装置。
【請求項１０】
前記機器接続部は、複数個が、前記コネクタ本体の着状態で、上向きに異なる角度を有して配置されることを特徴とする請求項６記載の医療装置。
【発明の詳細な説明】
【技術分野】
【０００１】
この発明は、例えば内視鏡や医療処置具等の医療装置に関する
【背景技術】
【０００２】
一般に、内視鏡においては、挿入部を患者の体腔内に挿入して患部を観察する使用形態や、体腔内に挿入した内視鏡挿入部に処置具を組み合わせ、開腹することなく粘膜切除などの患部の治療に供されている。このような内視鏡には、外部機器接続用接続部が設けられ、この接続部を介して他の医療機器を構成する光源装置、送水装置、ビデオプロセッサ等の信号処理装置等が接続されて、所望の内視鏡システムが構築されて使用に供される（例えば、特許文献１及び２参照。）。
【０００３】
ところで、このような内視鏡には、上述した医療機器との接続部に対して、内視鏡挿入部内に内蔵される撮像ユニットに電気的に接続され、該撮像ユニットと外部に配置されるビデオプロセッサ等の信号処理装置に電気的に接続される第２の接続部を配置することで、使用形態の多様化が図られている。そして、この第２の接続部には、上記接続部を医療機器に装着した状態で、さらに信号処理装置等の他の医療機器が接続ケーブルを用いて配線接続される。
【特許文献１】特開２０００−３３８４２０号公報
【特許文献２】特開２０００−５６２３８号公報
【発明の開示】
【発明が解決しようとする課題】
【０００４】
しかしながら、上記内視鏡システムでは、その第２の接続部に対して信号処理装置を電気的に接続する場合、医療機器に装着された接続部を、操作者が覗きこんで、第２の接続部の位置を確かめながら配線接続しなければならないために、その医療機器の取付け・取外し作業が非常に面倒であるという問題を有する。
【０００５】
この発明は上記の事情に鑑みてなされたもので、簡易な構成で、且つ、簡便にして容易な医療機器の取付け・取外し作業を実現して、使い勝手の向上を図り得るようにした医療装置を提供することを目的とする。
【課題を解決するための手段】
【０００６】
この発明は、機器据付状態で、上向きに位置される接続部が設けられた第１の医療機器と、前記第１の医療機器の接続部に着脱されて接続される接続部が設けられた第２の医療機器とを備えて医療装置を構成した。
【０００７】
上記構成によれば、第１の医療機器は、その機器据付状態で、接続部が上向きに配置されることにより、第２の医療機器と接続配置する場合、使用者が、わざわざ無理な姿勢をとって横から覗き込んだりすることなく、その接続部の位置を視認することができる。
【０００８】
従って、第２の医療機器の接続部の第１の医療機器の接続部への取付け・取外し作業を、狭い配置空間においても、自然な立ち姿勢を保った状態で上からの作業が可能となり、簡便にして容易な作業が実現される。
【０００９】
また、この発明は、接続部を有した第１の医療機器と、前記第１の医療機器の接続部に着脱される第１の接続部を有し、この第１の接続部に前記第１の医療機器の接続部への着状態で、上向きに位置される第２の接続部が設けられた第２の医療機器とを備えて医療装置を構成した。
【００１０】
上記構成によれば、第２の医療機器は、接続部の第１の接続部を第１の医療機器の接続部に装着して接続すると、その第２の接続部が上向きに配置されることにより、その第２の接続部への他の医療機器を接続する場合、使用者が、わざわざ無理な姿勢をとって横から覗き込んだりすることなく、その接続部の位置を視認することができる。
【００１１】
従って、第２の医療機器の第２の接続部への医療機器の取付け・取外し作業を、狭い配置空間においても、自然な立ち姿勢を保った状態で上からの作業が可能となり、簡便にして容易な作業が実現される。
【００１２】
また、この発明は、前面パネルの上下方向に第１及び第２の接続部が分離して設けられた第１の医療機器と、前記第１の医療機器の下方側の第２の接続部に抜脱される第１の接続部、及び該第１の接続部の抜脱方向に直交する上面側に配され、前記第１の医療機器の第１の接続部に接続される第２の接続部が設けられた第２の医療機器と、前記第１の医療機器の第１の接続部と前記第２の医療機器の第２の接続部との間に着脱されて相互間を接続する接続手段とを備えて医療装置を構成した。
【００１３】
上記構成によれば、第２の医療機器の第１の接続部を第１の医療機器の第２の接続部に装着して接続すると、該第２の医療機器の第２の接続部が、上向きに位置されると共に、第１の医療機器の第１の接続部が、前面パネルにおける第１の接続部位の上側に位置される。
【００１４】
従って、第２の医療機器の第１の接続部を、第１の医療機器の第２の接続部に装着した状態において、該第２の医療機器の第２の接続部が上向きに位置され、第１の医療機器の前面パネルの上側に第１の接続部が位置されることにより、その相互間を、接続手段を用いて接続配置する場合、使用者（操作者）が屈んで覗き込むことなく、自然な立ち姿勢で上から視認することができるため、簡便にして容易な取付け・取外し作業が実現される。
【００１５】
また、この発明は、流体もしくは光を供給する接続部を有した供給機器と、前記供給機器の接続部に着脱されるものであって、医療機器に接続されるコネクタ本体と、前記コネクタ本体に設けられ、該コネクタ本体の着状態で上向きに位置される前記医療機器に接続される機器接続部とを備えて医療装置を構成した。
【００１６】
上記構成によれば、コネクタ本体は、供給機器の接続部に接続されると、医療機器に接続される機器接続部が上向きに配置されることにより、この機器接続部に対して周辺機器を接続する場合、使用者が、わざわざ無理な姿勢をとって横から覗き込んだりすることなく、機器接続部を視認することができる。
【００１７】
従って、コネクタ本体の機器接続部への他の医療機器の取付け・取外し作業を、狭い配置空間においても、自然な立ち姿勢を保った状態で上からの作業が可能となり、簡便にして容易な作業が実現される。
【発明の効果】
【００１８】
以上述べたように、この発明によれば、簡易な構成で、且つ、簡便にして容易な医療機器の取付け・取外し作業を実現して、使い勝手の向上を図り得るようにした医療装置を提供することができる。
【発明を実施するための最良の形態】
【００１９】
以下、この発明の実施の形態に係るに医療装置について、図面を参照して詳細に説明する。
【００２０】
図１は、この発明の一実施の形態に係る内視鏡システムを示すもので、電子内視鏡を構成する第２の医療機器である内視鏡１は、体腔内等に挿入される細長の挿入部２を有する。この挿入部２は、先端硬質部１１、湾曲操作自在な湾曲部１２、該湾曲部１２の後端から長尺の可撓性を有した可撓管部１３が先端部から順に連結されて形成される。
【００２１】
このうち先端硬質部１１の先端部には、観察画像を撮影するための対物レンズ１６、照明レンズ１７が並設されている。そして、この先端硬質部１１には、上記対物レンズ１６に対して送気送水を行う送気送水ノズル１４、患部を処置する処置具を突出させる吸引兼用の先端開口１５が設けられる。
【００２２】
また、上記挿入部２の基端部には、上記操作部３が設けられる。この操作部３には、術者に把持される先端側の把持部１８が設けられ、この把持部１８には、鉗子やレーザプローブなどの医療処置具を出し入れするための処置具挿入口１９が設けられる。
【００２３】
把持部１８の後端部には、操作部シーケンス２０が連結される。操作部シーケンス２０の側部には、上記湾曲部１２を湾曲操作するための湾曲ノブ２１が回転操作自在に同軸的に設けられ、この湾曲ノブ２１の回転操作に連動して上記湾曲部１２が上下、左右の４方向に湾曲操作される。そして、操作部シーケンス２０には、上記先端硬質部１１の先端開口１５からの送気送水を操作するための送気送水スイッチ２２及び吸引スイッチ２３が並設される。
【００２４】
また、上記操作部３の後端部には、ユニバーサルコード２４が延出される。このユニバーサルコード２４の基端部には、接続部を構成するコネクタ本体であるコネクタ部２５が設けられる。
【００２５】
このコネクタ部２５には、図２に示すように口金部２６が設けられ、この口金部２６の送水口金２６４（図の都合上、図示せず、後述する図６参照）には、例えばカート３７に搭載される供給機器を構成する送水タンク２９（図１参照）に連結される送水チューブ３０が着脱される。この口金部２６の上記送水口金２６４は、上記先端硬質部１１の先端開口１５に連通され、上記送気送水スイッチ２２の送水操作に連動して、送水タンク２９の液体を送気送水ノズル１４に導き、該送気送水ノズル１４から対物レンズ１６に向けて噴射させて洗浄を実行する。
【００２６】
また、上記送気送水ノズル１４には、上記送気送水スイッチ２２の送気操作により、後述する送気源からの気体が供給されると、気体を対物レンズ１６に向けて噴射させ、洗浄に供した液体の残水の除去を実行する。
【００２７】
また、口金部２６には、図示しない吸引チャンネルを介して上記先端開口１５に連通される吸引口金２６１が設けられ、この吸引口金２６１には、吸引チューブ２８の一端が着脱される。この吸引チューブ２８の他端には、例えば上記カート３７に搭載される吸引源を備える吸引装置２７が接続される。これにより、吸引装置２７は、上記吸引スイッチ２３が操作されて吸引駆動されると、上記先端硬質部１１の先端開口１５、上記吸引チャンネルを介して吸引チューブ２８により吸引案内される。
【００２８】
さらに、コネクタ部２５には、光源接続部３２が設けられ（図２参照）、この光源接続部３２は、上記カート３７に搭載された第１の医療機器を構成する供給機器である光源装置３１の接続部３１０に抜脱自在に接続される。この光源接続部３２には、ライトガイド（図の都合上、図示せず）が光学的に接続され、このライトガイドが上記ユニバーサルコード２４、操作部３及び挿入部２内に挿通されて上記先端硬質部１１の照明レンズ１７に光学的に接続される。これにより、上記光源装置３１からの照明光は、上記ライトガイドを介して照明レンズ１７に導かれて、該照明レンズ１７から患部等に照射させて照明に供される。
【００２９】
上記光源装置３１には、上記送気源（図示せず）が内蔵され、この送気源は、上記送気送水ノズル１４に図示しない送気管路を介して連通される。これにより、送気源は、上記送気送水スイッチ２２の選択操作に連動して、選択的に気体を上記送気送水ノズル１４より対物レンズ１６に向けて噴射させる。
【００３０】
さらに、上記コネクタ部２５には、電気接点を有した機器接続部を構成する接続部３３が、上記光源接続部３２を上記光源装置３１の接続部３１０（図２参照）に接続した着状態で、上向きに位置するように設けられる。
【００３１】
この接続部３３は、例えば上記先端硬質部１１に内装される図示しない撮像ユニットの信号処理部に電気的に接続され、第１の医療機器の上方に設置された第３の医療機器としての信号処理装置を構成するビデオプロセッサ３４に対して接続コード３５を用いて配線接続される。この接続コード３５には、両端部に接続部３５１，３５２が設けられ、その一方の接続部３５１が上記コネクタ部２５の接続部３３に接続されて、他方の接続部３５２が上記ビデオプロセッサ３４の前面パネルに配置される接続部３４１に抜脱自在に接続される。
【００３２】
この接続コード３５の配線接続は、コネクタ部２５の光源接続部３２が光源装置３１に接続された着状態において、該コネクタ部２５の接続部３３が上向きに位置されていることで、その存在位置を横から覗き込んだりすることなく、自然な立ち姿勢を保って上から視認できることにより、相互間の容易な配線接続が実現される。
【００３３】
上記ビデオプロセッサ３４は、上記カート３７に搭載され、上記撮像ユニットからの画像情報を信号処理して映像信号を生成して、この映像信号を、同様にカート３７に搭載された表示装置を構成するモニタ３６に出力する。
【００３４】
なお、図２中において、符号２６２は、例えば高周波メスの高周波を帰還させるための高周波帰還端子、符号２６３は、副送水口金である。
【００３５】
上記構成において、内視鏡１を使用する場合には、先ず、ユニバーサルコード１３の先端部のコネクタ部２５の光源接続部３２をカート３７上に設置された光源装置３１の接続部３１０に接続する。ここで、コネクタ部２５の接続部３３は、上向きに位置され、接続コード３５の接続部３５１が接続される。そして、この接続コード３５の接続部３５２は、上記カート３７上に積重状に配置されたビデオプロセッサ３４の接続部３４に接続され、相互間が電気的に接続される。ここで、ビデオプロセッサ３４は、その映像出力端が上記カート３７上のモニタ３６に接続される。
【００３６】
また、上記コネクタ部２５の口金部２６には、その上記送水口金２６４に送水タンク２９の送水チューブ３０が連結されると共に、その吸引口金２６１に吸引装置２７に連結される吸引チューブ２８が連結される。
【００３７】
この状態において、挿入部２を体腔内に挿入して操作部３の把持部１８を術者が把持して湾曲操作ノブ２１を操作しながら侵入させると共に、上記光源装置３１、ビデオプロセッサ３４及びモニタ３６の電源を投入して使用に供される。これにより、上記光源装置３１の照明光が、挿入部２の先端硬質部１１の照明レンズ１７から体腔内の患部等の被写体に照射されて該被写体が照明され、その照明された被写体が対物レンズ１６で結像される。この結像された被写体像は、撮像ユニットで電気信号に変換されて、ビデオプロセッサ３４で信号処理されて映像信号が生成され、この映像信号がモニタ３６に表示される。
【００３８】
ここで、術者は、モニタ３６に表示される画像を観察して、患部の診断を行ったり、必要に応じて医療処置具を用いて治療の処置を行う。この際、操作部３における送気送水スイッチ２２及び吸引スイッチ２３が選択的に操作されて送水タンク２９からの液体の送水、送気が先端硬質部１１の送気送水ノズル１４から対物レンズ１６に向けて噴射されて洗浄が行われる。また、洗浄後の液体や体液等が、先端硬質部１１の先端開口１５から吸引装置２７に吸引されて排出される。
【００３９】
このように、上記医療装置は、光源装置３１に接続される光源接続部３２が設けられたコネクタ部２５に、該光源接続部３２を光源装置３１に接続させた着状態で、上向きに位置するように接続部３３を設けて、この接続部３３を用いて医療機器であるビデオプロセッサ３４と電気的に接続させるように構成した。
【００４０】
これによれば、コネクタ部２５は、その光源接続部３２が光源装置３１に接続されると、ビデオプロセッサ３４に接続される接続部３３が上向きに位置されることにより、この接続部３３とビデオプロセッサ３４との間を、接続コード３５を用いて接続配線する場合、使用者が、わざわざ無理な姿勢をとって横から覗き込んだりすることなく、自然の姿勢を保った状態で、上から接続部３３の存在位置を視認することができる。
【００４１】
この結果、コネクタ部２５の接続部３３への接続コード３５の取付け・取外し作業を、狭い配置空間においても、簡便にして容易に行うことが可能となり、使い勝手の向上を図ることができる。
【００４２】
なお、この発明は、上記実施の形態に限ることなく、その他、例えば図３に示すように、図示しないズーム機構を先端硬質部１１内に内装し、このズーム機構を駆動制御する第１の医療機器の上方に設置される第３の医療機器としての制御部を構成するズーム制御装置４０を、上記カート３７に分離配置する内視鏡システムにおいても適用可能で、同様の効果が期待される。但し、この図３中においては、上記図１と同一部分について、同一符号を付して詳細な説明を省略する。
【００４３】
即ち、図３の実施の形態では、上述した第２の医療機器を構成する内視鏡１のコネクタ部２５に対して、上記ズーム機構（図示せず）の電気接点として機器接続部を構成するズームコネクタと称する第２の接続部４１１を、上記接続部３３と同様に、上記光源接続部３２の上記光源装置３１への着状態で、上向きに位置するように設ける。そして、このコネクタ部２５の第２の接続部４１１には、上記ズーム制御装置４０から延出される接続コード４２に設けられる接続部４２１が接続され、相互間が該接続コード４２を介して電気的に接続される。
【００４４】
上記構成により、術者等の使用者が配線接続する場合には、自然な立ち姿勢を保った状態で、上から接続部３３及び第２の接続部４１の存在位置を視認しながら取付け・取外し作業を行うことが可能となるため、上記実施の形態と同様に、簡便にして容易な作業が実現されて使い勝手の向上が図れる。
【００４５】
この図３に示す実施の形態においては、コネクタ部２５における配置スペース等の関係により、その他、例えば図４及び図５に示すように、光源接続部３２の装着状態において、接続部３３１，３３２のみを、側方に向くように配して構成するようにしても良い。
【００４６】
即ち、図４のコネクタ構造は、コネクタ部２５の第２の接続部４１１を、上記光源接続部３２を光源装置３１に装着した状態で、該光源接続部３２と直交する軸上に上向きに位置するように配し、上記接続部３３１を側方に向けて配して、第２の接続部４１１のみを上向きに設けて構成したものである。
【００４７】
また、図５のコネクタ構造は、コネクタ部２５の第２の接続部４１２を、上記光源接続部３２を光源装置３１に装着した状態で、該光源接続部３２の軸上に上向きに位置するように配して、上記接続部３３２を側方に向けて配し、第２の接続部４１２のみを上向きに設けて構成したものである。
【００４８】
なお、この図４及び第５に示すコネクタ部２５においても、各接続部３３１，３３２を第２の接続部４１１，４１２と同様に、光源接続部３２の着状態において上向きに位置するように構成しても良い。
【００４９】
また、この発明は、その他、例えば図６に示すように医療機器を構成する供給機器である光源装置３１に据付状態で上向きとなる位置に接続部３１１を設けて、この接続部３１１に対してコネクタ部２５の光源接続部３２１を着脱するように構成することも可能である。但し、この図６においては、上記図３と同一部分について同一符号を付して、その詳細な説明を省略する。
【００５０】
即ち、図６に示す実施の形態では、コネクタ部２５に、その光源接続部３２１を光源装置３１の接続部３１１に接続させた状態で、上記ズーム制御装置４０に接続される第２の接続部４１３が上向きに位置するように設けられる。
【００５１】
これにより、同様にコネクタ部２５の光源接続部３２１を光源装置３１の接続部３１１に着脱する際、自然な立ち姿勢で上から確認することができ、さらに、その第２の接続部４１３をズーム制御装置４０に接続コード４２を介して配線接続する際においても、同様に自然な立ち姿勢で上から視認することができるため、別体の接続コード４２を用いて簡便にして容易な取付け・取外し作業が実現される。  
なお、図６において、符号２６４は、上記送水チューブ３０が接続される送水口金である。
【００５２】
さらに、この発明は、上記各実施の形態に限ることなく、その他、図７及び図８に示すように構成してもよく、上述した各実施の形態と略同様に簡便にして容易な取付け・取外し作業を実現することが可能となる。但し、この図７及び図８においては、説明の便宜上、上記図１及び図２と同一部分について、同一符号を付して、その詳細な説明を省略する。
【００５３】
即ち、この図７及び図８に示す実施の形態では、第１の医療機器を構成する筐体５０内に上記モニタ３６に接続される画像処理部５１と、光源装置を構成する光源ランプ５２及び送気源５３とが内蔵される。この筐体５０には、その前面パネルに電源ボタン５０１及び操作部５０２が、例えば左右方向に所定の間隔を有して配置され、この電源ボタン５０１及び操作部５０２との間に第１及び第２の接続部５４，５５が上下方向に分離して配置される。このうち第１の接続部５４は、上記画像処理部５１に電気的に接続される。他方の第２の接続部５４は、凹状に形成され、上記光源ランプ５２及び送気源５３に接続される。
【００５４】
そして、上記第２の医療機器を構成する内視鏡１には、上記ユニバーサルコード２４のコネクタ部２５に光接続部２５１及び気体接続部２５２が、上記筐体５０の第２の接続部５０２に対して着脱可能に先端方向に突設される。このコネクタ部２５の光接続部２５１及び気体接続部２５２は、上記筐体５０の第２の接続部５５に装着されると、上記筐体５０内の光源ランプ５２及び送気源５３に光学的及び空路的に接続される。
【００５５】
また、コネクタ部２５には、その上面側に上述した電気接点を有する接続部２５３が設けられる。この接続部２５３は、コネクタ部２５の光接続部２５１及び気体接続部２５２が上記筐体２０の第２の接続部５５に接続された状態で、上面に位置され、接続手段を構成する配線ケーブルである接続コード５６を用いて上記筐体５０の第１の接続部５４と電気的に接続される。この接続コード５６には、両端部に接続部５６１，５６２が設けられ、これら接続部５６１，５６２が上記コネクタ部２５の接続部２５３と上記筐体５０の第１の接続部５４にそれぞれ取付けられて相互間を電気的に接続する。
【００５６】
上記構成により、上記各実施の形態と同様にコネクタ部２５の光接続部２５１及び気体接続部２５２を、筐体５０の第２の接続部５５に装着した状態において、該コネクタ部２５の接続部２５３が上向きに位置され、筐体５０の第１の接続部５４がコネクタ部２５の上側に位置される。この結果、コネクタ部２５の接続部２５３と筐体５０の第１の接続部５４との間を、接続コード５６を用いて接続配置する場合、使用者（操作者）が屈んで覗き込んだりすることなく、自然な立ち姿勢で上から視認することができるため、簡便にして容易な取付け・取外し作業が実現される。
【００５７】
さらに、上記各実施の形態では、接続状態あるいは据付状態において、接続部及び第２の接続部を、略垂直上に上向きに位置させるように構成した場合で説明したが、これに限ることなく、例えば所定角度、上向き方向に傾斜させて配置するようにしても、略同様の効果が期待される。
【００５８】
また、さらに、上記各実施の形態においては、内視鏡システムに適用した場合について説明したが、この発明は、これに限ることなく、その他、医療処置具等の各種の医療装置においても適用可能で、同様の効果が期待される。
【００５９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００６０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００６１】
また、この発明は、上記各実施の形態によれば、その他、次のような構成を得ることもできる。
【００６２】
（付記１）
所定角度上向きに設けられ、医療機器の入力もしくは出力端子が取付け可能な電気接点部を具備することを特徴とする医療装置。
【００６３】
(付記２)
流体もしくは光を供給する供給装置と、
前記供給装置に対して所定の向きに接続されるコネクタ本体と、
前記供給装置に取付けられた前記コネクタ本体に対して所定角度上向きに傾けた向きに配設され、医療機器に接続可能な接続部と、
を具備することを特徴とする医療装置。
【００６４】
（付記３）
前記医療機器は、前記画像信号処理装置であり、前記接続部を介して映像信号が伝送されることを特徴とする付記２記載の医療装置。
【００６５】
（付記４）
前記医療機器は、駆動機構を制御する制御装置であることを特徴とする付記２記載の医療装置。
【００６６】
（付記５）
前記駆動機構は、ズーム機構であることを特徴とする付記２記載の医療装置。
【００６７】
（付記６）
前記接続部は、第１及び第２の接続部を有し、少なくとも一方が前記コネクタ本体の着状態で、上向きに位置されることを特徴とする付記２記載の医療装置。
【図面の簡単な説明】
【００６８】
【図１】この発明の一実施の形態に係る内視鏡システムの概略構成を説明するために示した図である。
【図２】図１のコネクタ部を拡大して示した図である。
【図３】この発明の他の実施の形態に係る内視鏡システムの概略構成を説明するために示した図である。
【図４】図３のコネクタ部の一構成例を示した図である。
【図５】図３のコネクタ部の他の構成例を示した図である。
【図６】この発明の他の実施の形態に係る内視鏡システムの要部を取出して示した図である。
【図７】この発明の他の実施の形態に係る内視鏡システムの要部の外観構成を説明するために示した図である。
【図８】図７の要部を分解して示した図である。
【符号の説明】
【００６９】
１…内視鏡、２…挿入部、３…操作部、１１…先端硬質部、１２…湾曲部、１３…可撓患部、１４…送気送水ノズル、１５…先端開口、１６…対物レンズ、１７…照明レンズ、１８…把持部、１９…処置具挿入口、２０…操作部シーケンス、２１…湾曲ノブ、２２…送気送水スイッチ、２３…吸引スイッチ、２４…ユニバーサルコード、２５…コネクタ部、２６…口金部、２６１…吸引口金、２６２…高周波帰還端子、２６３…副送水口金、２６４…送水口金、２７…吸引装置、２８…吸引チューブ、２９…送水タンク、３０…送水チューブ、３１…光源装置、３１０，３１１…接続部、３２，３２１…光源接続部、３３，３３１，３３２…接続部、３４…ビデオプロセッサ、３４１…接続部、３５…接続コード、３５１，３５２…接続部、３６…表示装置、３７…カート、４０…ズーム制御装置、４１１，４１２，４１３…第２の接続部、４２…接続コード、４２１…接続部、５０…筐体、５０１…電源ボタン、５０２…操作部、５１…画像処理部、５２…光源ランプ、５３…送気源、５４…第１の接続部、５５…第２の接続部、２５２…光接続部、２５２…気体接続部、２５３…接続部、５６…接続コード、５６２，５６２…接続部。
【図１】
2007202654.tif 000003
【図２】
2007202654.tif 000004
【図３】
2007202654.tif 000005
【図４】
2007202654.tif 000006
【図５】
2007202654.tif 000007
【図６】
2007202654.tif 000008
【図７】
2007202654.tif 000009
【図８】
2007202654.tif 000010